(57)【要約】【課題】重量のある建物設備ユニットであっても、この建物設備ユニットを建物の根太が設けられた床部に転倒しないように安定した状態で固定することができる建物設備ユニット取付構造を提供すること。【解決手段】床板４の下方に配設され且つボルト取付部１６が設けられたユニット固定用の取付金具（１２，１２−２）を隣接する根太（７）の側面間に固定し、建物設備ユニット（蓄電池ユニット２０）の被取付部（取付板２２ａ）を貫通し且つ床板４を貫通する固定ボルト２３を取付金具のボルト取付部１６に螺着して、床板４上に載置した建物設備ユニット（蓄電池ユニット２０）の被取付部（取付板２２ａ）を取付金具（１２，１２−２）のボルト取付部１６に固定ボルト２３で取り付けることより、被取付部（取付板２２ａ）を床板４上に固定している。【選択図】  図７
2014055497.tif 000002
【特許請求の範囲】
【請求項１】
複数の根太および前記根太上に取り付けられた床板が設けられた床部を備え、
前記床板上に載置した建物設備ユニットの下端の被取付部を前記床部にボルトで固定するようにした建物設備ユニット取付構造において、
前記床板の下方に配設され且つボルト取付部が設けられたユニット固定用の取付金具を前記隣接する根太の側面間に固定し、
前記建物設備ユニットの被取付部を貫通し且つ前記床板を貫通する固定ボルトを前記取付金具のボルト取付部に螺着して、前記床板上に載置した前記建物設備ユニットの被取付部を前記取付金具のボルト取付部に前記固定ボルトで取り付けることより、前記被取付部を前記床部の床板上に固定したことを特徴とする建物設備ユニット取付構造。
【請求項２】
請求項１に記載の建物設備ユニット取付構造において、前記隣接する根太間に前記根太の延びる方向に間隔をおいて並設され且つ両端が前記隣接する根太に固定された一対の受け根太を備え、前記一対の受け根太に前記取付金具を固定することにより、前記取付金具を前記隣接する根太間に固定したことを特徴とする建物設備ユニット取付構造。
【請求項３】
請求項１又は２に記載の建物設備ユニット取付構造において、前記取付金具は上壁と前記上壁の両端に下方に向けて連設された一対の端壁を備え、前記一対の端壁が前記一対の受け根太に固定手段でそれぞれ固定されていることを特徴とする建物設備ユニット取付構造。
【請求項４】
請求項１に記載の建物設備ユニット取付構造において、前記取付金具を一つの隣接する根太と前記一つの根太と平行に隣接する部材に直接固定したことを特徴とする建物設備ユニット取付構造。
【請求項５】
請求項４に記載の建物設備ユニット取付構造において、前記建物設備ユニットは側縁部間が前記複数の根太の一つの上方に位置させて前記床板上に載置され且つ側縁部が前記一つの根太の側方の一対の側方空間上にそれぞれ配設されていると共に、前記取付金具は前記一対の側方空間にそれぞれ配設され、前記各取付金具の一対の端壁は前記一つの根太および前記一つの根太に間隔を置いて隣接する部材にそれぞれ直接固定されていることを特徴とする建物設備ユニット取付構造。
【発明の詳細な説明】
【技術分野】
【０００１】
この発明は、蓄電池や蓄熱暖房機、貯湯槽等の建物設備ユニットの床部材上への固定のための建物設備ユニットの取付構造に関するものである。
【背景技術】
【０００２】
従来の建物には、太陽光発電システムに用いる蓄電池やガス発電システムのガス発電装置またはガス発電システムに用いる蓄電池等の建物設備ユニットを設けたものが知られている。この蓄電池は、外力が作用した場合に転倒しないようにする必要があるため、設置部に固定する必要がある。しかも、この蓄電池は、重量が大きく外形寸法も大きいため、通常は建物の外に外壁に近接させてコンクリート製のユニット設置部を設け、このユニット設置部上に配置するのが普通である。このように蓄電池を建物外部に設置した場合には蓄電池が風雨や太陽光等に晒されて寿命が短くなることも考えられるので、このような問題を解決するための蓄電池を建物内の床上に設置することも考えられる。この場合にも、蓄電池が外力により転倒しないように設置部に固定する必要がある。
【０００３】
ところで、従来からオフィスビル等の建物には、床面とこの床面の上に間隔をおいて配設されたパネル床から二重床構造を形成することにより、床面とパネル床との間に配線空間を形成すると共に、パネル床上に複数のコンピュータを設置して、この複数のコンピュータのための信号ケーブルや電力ケーブル等を配線空間に配設した構成が知られている。
尚、このパネル床は建物の床面に床支柱で支持された多数のパネルから構成されている。
【０００４】
このような二重床構造を有する建物では、地震等が発生した場合にその揺れで電子機器が転倒することを防ぐために、パネル上に載置した電子機器をパネル上に固定するようにした電子機器の転倒防止装置が知られている。
【０００５】
この電子機器の転倒防止装置としては、例えば、上面がパネルの上面と同一面になるように床面上に専用の架台を配設して、この架台上に電子機器をボルト固定するようにした架台利用の電子機器固定構造、又は、床支柱の上部に一体に設けられ且つパネルを貫通して上方に突出するボルト部を設けて、このボルト部に固定したＬ字状の取付金具に電子機器を固定するようにした床支柱利用の電子機器固定構造が知られている（例えば、特許文献１参照）。
【先行技術文献】
【特許文献】
【０００６】
【特許文献１】特開２００３−２２１９２４号公報
【発明の概要】
【発明が解決しようとする課題】
【０００７】
このような電子機器固定構造は、二重床構造を有するオフィスビル専用の構造であるため、根太が設けられた床構造を有する建物にそのまま適用できないものであった。
【０００８】
そこで、この発明は、重量のある建物設備ユニットであっても、この建物設備ユニットを建物の根太が設けられた床部に転倒しないように安定した状態で固定することができる建物設備ユニット取付構造を提供することを目的とするものである。
【課題を解決するための手段】
【０００９】
この目的を達成するため、この発明は、複数の根太および前記根太上に取り付けられた床板が設けられた床部を備え、前記床板上に載置した建物設備ユニットの下端の被取付部を前記床部にボルトで固定するようにした建物設備ユニット取付構造において、前記床板の下方に配設され且つボルト取付部が設けられたユニット固定用の取付金具を前記隣接する根太の側面間に固定し、前記建物設備ユニットの被取付部を貫通し且つ前記床板を貫通する固定ボルトを前記取付金具のボルト取付部に螺着して、前記床板上に載置した前記建物設備ユニットの被取付部を前記取付金具のボルト取付部に前記固定ボルトで取り付けることより、前記被取付部を前記床部の床板上に固定したことを特徴とする。
【発明の効果】
【００１０】
この構成によれば、重量のある建物設備ユニットであっても、この建物設備ユニットを建物の根太が設けられた床部に転倒しないように安定した状態で固定することができる。
【図面の簡単な説明】
【００１１】
【図１】この発明に係る建物設備ユニット取付構造を示す建物の床の要部平面図である。
【図２】図１の床板を除いた状態の床枠の要部平面図である。
【図３】図１のＡ１−Ａ１線に沿う断面図である。
【図４】図３の要部拡大断面図である。
【図５】（ａ）は図１〜図４に示した取付金具の平面図、（ｂ）は（ａ）のＡ２−Ａ２線に沿う断面図、（ｃ）は（ｂ）のＡ３−Ａ３線に沿う断面図である。
【図６】この発明に係る建物設備ユニット取付構造の他の例を示す建物の床の要部平面図である。
【図７】図６の床板を除いた状態の床枠の要部平面図である。
【図８】図６のＢ１−Ｂ１線に沿う断面図である。
【図９】図８の要部拡大図である。
【図１０】（ａ）は図７〜図８に示した２種類の取付金具の一方の平面図、（ｂ）は（ａ）のＢ２−Ｂ２線に沿う断面図、（ｃ）は（ｂ）のＢ３−Ｂ３線に沿う断面図である。
【図１１】（ａ）は図７〜図８に示した２種類の取付金具の他方の平面図、（ｂ）は（ａ）のＣ１−Ｃ１線に沿う断面図、（ｃ）は（ｂ）のＣ２−Ｃ２線に沿う断面図である。
【発明を実施するための形態】
【００１２】
以下、この発明の実施の形態を図面に基づいて説明する。
（実施例１）
図１はこの発明に係る建物設備ユニット取付構造を示す建物の床の要部平面図、図２は図１の床板を除いた状態の床枠の要部平面図、図３は図１のＡ１−Ａ１線に沿う断面図、図４は図３の要部拡大断面図である。また、図５（ａ）は図１〜図４に示した取付金具の平面図、図５（ｂ）は（ａ）のＡ２−Ａ２線に沿う断面図、図５（ｃ）は（ｂ）のＡ３−Ａ３線に沿う断面図である。
【００１３】
図１において、１は建物の床部、２は床部１の上に設けられる収納空間である。この収納空間２を形成する扉や仕切板等の収納用部材（図示せず）は、収納用線２ａに沿って設けられる。また、床部１は、図１〜図３に示したように、床枠３と、床枠３上に配設された床板４を有する。
【００１４】
図３において５はべた基礎である。このべた基礎５は、床下底部である底板５ａおよび底板５ａから立ち上がる基礎５ｂを有する。この基礎５ｂ上には土台６が設置されている。この土台６は、図１，図２に示したように、垂直に連設された第１，第２土台部６ａ，６ｂを有すると共に、第１，第２土台部６ａ，６ｂと平行な図示しない土台部を有する。
【００１５】
上述した床枠３は、図３の土台６上に配設された外枠３ａと、２本の根太７ａ，７ａを貼り合わせて形成した複数の併せ根太７を有する。この外枠３ａは、第１，第２土台部６ａ，６ｂ上に配設され且つ互いに直交する第１，第２外枠部材３ａ−１，３ａ−２を有する。各併せ根太７は、第１外枠部材３ａ−１と直交し且つ第２外枠部材３ａ−２と平行に設けられている。また、複数の併せ根太７は、一端部が第１外枠部材３ａ−１上に固定され、他端部が第１外枠部材３ａ−１と平行な図示しない枠部材上に固定されている。しかも、複数の併せ根太７は、第２外枠部材３ａ−２の延びる方向に等間隔で設けられている。この各併せ根太７は、べた基礎５の底板５ａ上に支持束８を介して支持されている。この支持束８は、各併せ根太７に対して長手方向の複数箇所に設けられるが、他の箇所の図示は省略している。９は、床板４の第１外枠部材３ａ−１上に設けられた外壁である。また、上述した収納空間２は、図１，図２に示したように、平面形状が第１土台部６ａに沿って長方形に延び、床板４上で且つ外壁９の内側に形成されている。
【００１６】
この収納空間２の下方には、４つ（複数）の併せ根太７の一端部近傍の部分が収納位置根太部７ｂとして配設されている。この４つ（複数）の併せ根太７は第２外枠部材３ａ−２側から所定間隔の位置（ｉ）〜（ｉＶ）で示した部分に配置されている。また、支持束８は、図３に示したように、収納空間２の外壁９とは反対側の部分の下方に位置して、収納位置根太部７ｂとべた基礎５の底板５ａとの間に設けられている。
【００１７】
更に、位置（ｉ）の併せ根太７と位置（ｉｉ）の併せ根太７の収納位置根太部７ｂとの間、及び位置（ｉＶ）の併せ根太７と位置（ｉｉｉ）の併せ根太７の収納位置根太部７ｂとの間には、併せ根太７の延びる方向に間隔を置いて互いに平行に設けた一対の受け根太１０，１０および１１，１１がそれぞれ配設されている。一対の受け根太１０，１０は位置（ｉ）の併せ根太７とこれに隣接する位置（ｉｉ）の併せ根太７とに両端部が固定され、一対の受け根太１１，１１は位置（ｉＶ）の併せ根太７とこれに隣接する位置（ｉｉｉ）の併せ根太７に両端部が固定されている。また、受け根太１０，１０（１１，１１）は、一方が第１土台部６ａ側に近接して配置され、他方が支持束８，８間に位置させられている。
【００１８】
この受け根太１０，１０および１１，１１間には、位置（ｉｉ）の併せ根太７に近接させて取付金具１２，１２がそれぞれ配設されている。この取付金具１２は、図５（ａ），図５（ｂ）に示したように、上壁１３と上壁１３の両端に下方に向けて連設された一対の端壁１４，１４を備えている。この上壁１３と端壁１４の両側部には、図５（ａ）〜図５（ｃ）に示したように、上壁１３と端壁１４と垂直な三角形状の補強板１５が取付金具１２の両端部に位置して溶接により一体に設けられている。
【００１９】
また、図５（ｂ），図５（ｃ）に示したように、取付金具１２の上壁１３には、両端部に位置させてボルト取付部１６が設けられている。このボルト取付部１６は、幅方向中央部に位置させて上壁１３の両端部に形成したボルト挿通孔１３ａ，１３ａと、ボルト挿通孔１３ａ，１３ａに中心を一致させて上壁１３の両端部の下面に溶接固定した固定ナット１７，１７を備えている。
更に、端壁１４，１４には複数のネジ挿通孔１４ａがそれぞれ形成されている。この端壁１４は、各ネジ挿通孔１４ａに木ネジ（固定手段）１８を挿通して、この木ネジ１８を図３，図４に示したように受け根太１０（又は１１）にねじ込むことで、受け根太１０（又は１１）に固定されている。これにより、取付金具１２，１２は受け根太１０，１０および１１，１１にそれぞれ両端部が固定されている。
【００２０】
収納空間２内には、太陽光発電システムやガス発電システム等に用いる蓄電池ユニット（建物設備ユニット）２０が配設されている。この蓄電池ユニット２０は、平面形状が収納空間２の長手方向に延びる蓄電池本体２１と、この蓄電池本体２１の下端に取り付けられた架台２２を備えている。この架台２２は、図４に示したように床板４上に載置されていて、蓄電池本体２１を床板４上に間隔をおいて支持させている。この架台２２の下端部の取付板（被取付部）２２ａには、取付金具１２のボルト挿通孔１３ａと一致するボルト挿通孔２２ｂが形成されている。しかも、このボルト挿通孔２２ｂ，４ａ，１３ａに固定ボルト２３を挿通して、この固定ボルト２３を取付金具１２の固定ナット１７に螺着することにより、架台２２が床板４上に固定されている。これにより、蓄電池ユニット２０すなわち蓄電池本体２１は、地震等の外力が作用しても転倒しないように、床板４上に固定されている。
【００２１】
（実施例２）
図６は、この発明に係る建物設備ユニット取付構造の他の例を示す建物の床の要部平面図である。図７は図６の床板を除いた状態の床枠の要部平面図、図８は図６のＢ１−Ｂ１線に沿う断面図、図９は図８の要部拡大図である。
【００２２】
図１０（ａ）は図６〜図８に示した２種類の取付金具の一方の平面図、図１０（ｂ）は（ａ）のＢ２−Ｂ２線に沿う断面図、図１０（ｃ）は（ｂ）のＢ３−Ｂ３線に沿う断面図である。図１１（ａ）は図６〜図８に示した２種類の取付金具の他方の平面図、図１１（ｂ）は（ａ）のＣ１−Ｃ１線に沿う断面図、図１１（ｃ）は（ｂ）のＣ２−Ｃ２線に沿う断面図である。
【００２３】
上述した実施例１では、併せ根太７に直交する方向に延びる収納空間２を設けて、長手方向が併せ根太７に直交する方向に向けられた蓄電池ユニット（建物設備ユニット）２０を収納空間２内の床板４上に設置した例を示したが、必ずしもこれに限定されるものではない。
【００２４】
例えば、図６，図７に示したように、併せ根太７の延設方向に延びる収納空間２を設けて、長手方向が併せ根太７の延びる方向に向けられた蓄電池ユニット（建物設備ユニット）２０を収納空間２内の床板４上に設置した構成としても良い。
【００２５】
この実施例において床枠３は、土台６上に配設された外枠３ａと、複数の併せ根太７と、複数の根太７ａを有する。この併せ根太７は、２本の根太７ａ，７ａを貼り併せたものである。また、外枠３ａは、互いに直交する第１，第２外枠部材３ａ−１，３ａ−２を有する。
【００２６】
各併せ根太７及び根太７ａは、第１外枠部材３ａ−１と直交し且つ第２外枠部材３ａ−２と平行に設けられている。また、複数の併せ根太７及び根太７ａは、一端部が第１外枠部材３ａ−１上に固定され、他端部が第１外枠部材３ａ−１と平行な図示しない枠部材上に固定されている。しかも、複数の併せ根太７及び根太７ａは、第２外枠部材３ａ−２の延びる方向に等間隔で設けられている。
【００２７】
複数の併せ根太７は収納空間２に対応する部分に設けられ、単一の複数の根太７ａは収納空間２に対応しない部分に設けられている。
【００２８】
この実施例では、併せ根太７は、収納空間２の下方に２本設けられている。この二本の併せ根太７のうち、第２外枠部材３ａ−２に隣接する併せ根太７を併せ根太７（ａ１）とし、他方を併せ根太７（ａ２）として説明する。
【００２９】
この一つの併せ根太７（ａ１）の両側方には、図６〜図９に示したように側方空間２４，２５がそれぞれ形成されている。
【００３０】
この第２外枠部材３ａ−２と併せ根太７（ａ１）との間の側方空間２４には取付金具１２−１が間隔をおいて一対配設され、併せ根太７（ａ１）と併せ根太７（ａ２）との間の側方空間２５には取付金具１２−２が間隔をおいて一対配設されている。しかも、一対の取付金具１２−２，１２−２は、一対の取付金具１２−１，１２−１にそれぞれ対応して配設されて、併せ根太７を併せ根太７（ａ１）を挟んで直列に設けられている。
【００３１】
この取付金具１２−１，１２−２は、ボルト取付部１６を設ける数および位置が取付金具１２と異なるのみで、他の構成は実質的に取付金具１２と同じである。
従って、取付金具１２−１，１２−２取付位置や取付金具１２との相違点を、取付金具１２に付した符号と同じ符号を付して説明する。
即ち、取付金具１２では取付部を両端部にそれぞれ設けている。
しかし、本実施例では、取付金具１２−１は図７〜図１０に示したようにボルト取付部１６を中央部に一つ設け、取付金具１２−２は図７〜図９，図１１に示したようにボルト取付部１６を一端部に一つ設けている以外は、取付金具１２と構成が同じである。
【００３２】
また、併せ根太７（ａ１）と併せ根太７（ａ２）は、図６〜図９に示した根太支持手段２６を介して、複数箇所が図８，図９のべた基礎５の底板５ａに支持されている。この根太支持手段２６は、少なくとも、収納空間２の長手方向の略中央の部分と、収納空間２の長手方向の第１外枠部材３ａ−１とは反対側の端部の部分に設けられている。また、根太支持手段２６は、根太支持部材２７と支持束８，８を備えている。
【００３３】
この根太支持部材２７は、図６，図７に示したように併せ根太７（ａ１）と併せ根太７（ａ２）に直交し、且つ図８，図９に示したように両端部が併せ根太７（ａ１）と併せ根太７（ａ２）の下面に当接している。また、図８に示したように支持束８，８は、根太支持部材２７と両端部とべた基礎５の底板５ａとの間に介装されている。
（その他）
上述した実施例では、収納空間２内に設置する建物設備ユニットを太陽光発電システムやガス発電システム等に用いる蓄電池ユニット（蓄電池）２０とした例を示したが、収納空間２内に設置する建物設備ユニットとしては蓄電池ユニット２０に限定されるものではない。
【００３４】
例えば、建物設備ユニットとしては、蓄熱暖房装置、空調装置であっても良い。また、上述した実施例では、べた基礎５を有する建物にこの発明に係る建物設備ユニット取付構造を適用した例を示したが、布基礎を有する建物にこの発明に係る建物設備ユニット取付構造を適用することもできる。
（補足説明１）
以上説明したように、この発明の実施の形態の建物設備ユニット取付構造は、複数の根太（併せ根太７）および前記根太（併せ根太７）上に取り付けられた床板４が設けられた床部１を備えている。しかも、前記床板４上に載置した建物設備ユニット（蓄電池ユニット２０）の下端の被取付部（取付板２２ａ）を前記床部１にボルトで固定するようにしている。即ち、前記床板４の下方に配設され且つボルト取付部１６が設けられたユニット固定用の取付金具（１２，１２−１，１２−２）を前記隣接する根太（併せ根太７）間に固定し、前記床板４を貫通する固定ボルト２３で前記建物設備ユニット（蓄電池ユニット２０）の被取付部（取付板２２ａ）を前記ボルト取付部１６に取り付けるようにしている。
【００３５】
この構成によれば、重量のある建物設備ユニット（蓄電池ユニット２０）であっても、この建物設備ユニット（蓄電池ユニット２０）を建物の根太（併せ根太７）が設けられた床部１に転倒しないように安定した状態で固定することができる。
（補足説明２）
また、この発明の実施の形態の建物設備ユニット取付構造において、前記隣接する根太（併せ根太７，７）間に前記根太（併せ根太７）の延びる方向に間隔をおいて並設され且つ両端が前記隣接する根太（併せ根太７，７）に固定された一対の受け根太１０，１０（１１，１１）を備え、前記一対の受け根太１０，１０（１１，１１）に前記取付金具１２を固定することにより、前記取付金具１２を前記隣接する根太（併せ根太７，７）間に固定している。
【００３６】
この構成によれば、一対の受け根太１０，１０（１１，１１）を介して取付金具１２を隣接する根太（併せ根太７，７）間に支持できるので、一対の受け根太１０，１０（１１，１１）の間隔を建物設備ユニット（蓄電池ユニット２０）の幅に一致又は対応させることで、取付金具１２の長手方向の寸法が隣接する根太（併せ根太７，７）の間隔に左右されずに建物設備ユニット（蓄電池ユニット２０）の幅に一致又は対応させることができ、取付金具１２を必要最小限の寸法に設定できる。
（補足説明３）
また、この発明の実施の形態の建物設備ユニット取付構造において、前記建物設備ユニット（蓄電池ユニット２０）は前記複数の根太の配列方向に延びて前記複数の根太（併せ根太７，７）に跨るように前記床板４上に載置されていると共に、前記建物設備ユニット（蓄電池ユニット２０）の長手方向両端部のそれぞれの下方に前記一対の受け根太１０，１０（１１，１１）及び前記取付金具１２が設けられ、前記建物設備ユニット（蓄電池ユニット２０）の長手方向両端部が前記固定ボルト２３で前記各取付金具１２に固定されている。
【００３７】
この構成によれば、建物設備ユニット（蓄電池ユニット２０）の荷重が偏ることなく複数の根太（併せ根太７，７）で支持させることができるので、建物設備ユニット（蓄電池ユニット２０）を支持する床板４に作用する建物設備ユニット（蓄電池ユニット２０）からの荷重を分散できる。
（補足説明４）
また、この発明の実施の形態の建物設備ユニット取付構造において、前記一対の受け根太１０，１０（１１，１１）の少なくとも一つは受け根太支持束（支持束８）を介して建物の床下底部（底板５ａ）に支持されている。
【００３８】
この構成によれば、建物設備ユニット（蓄電池ユニット２０）から床板４に作用するの荷重を床下底部（底板５ａ）で支持させるので、建物設備ユニット（蓄電池ユニット２０）から床板４および根太（併せ根太７，７）に作用する変形力を少なくできる。
（補足説明５）
また、この発明の実施の形態の建物設備ユニット取付構造において、前記取付金具１２は上壁１３と前記上壁１３の両端に下方に向けて連設された一対の端壁１４，１４を備え、前記一対の端壁１４，１４が前記一対の受け根太１０，１０（１１，１１）に固定手段（木ネジ１８）でそれぞれ固定されている。
【００３９】
この構成によれば、取付金具１２の受け根太１０，１０（１１，１１）への取付を容易に行うことができる。
（補足説明６）
また、この発明の実施の形態の記載の建物設備ユニット取付構造において、前記取付金具（１２−１，１２−２）を一つの根太（併せ根太７（ａ１））と前記一つの根太（併せ根太７（ａ１））と平行に隣接する部材（併せ根太７（ａ１），第２外枠部材３ａ−２）に直接固定している。
【００４０】
この構成によれば、建物設備ユニット（蓄電池ユニット２０）を取り付けて固定する取付金具（１２−１，１２−２）を一つの根太（併せ根太７（ａ１））や部材（併せ根太７（ａ１），第２外枠部材３ａ−２）に取り付けるのに、受け根太等を必要としないので、部品点数を少なくできる。
（補足説明７）
また、この発明の実施の形態の建物設備ユニット取付構造において、前記建物設備ユニット（蓄電池ユニット２０）は側縁部間が前記複数の根太（併せ根太７）の一つの上方に位置させて前記床板４上に載置され且つ側縁部が前記一つの根太（併せ根太７（ａ１））の側方の一対の側方空間２４，２５上にそれぞれ配設されていると共に、前記取付金具１２−１，１２−２は前記一対の側方空間２４，２５にそれぞれ配設され、前記各取付金具１２−１，１２−２の一対の端壁は前記一つの根太（併せ根太７（ａ１））および前記一つの根太（併せ根太７（ａ１））に間隔を置いて隣接する部材（併せ根太７、外枠３ａ）にそれぞれ直接固定されている。
【００４１】
この構成によれば、建物設備ユニット（蓄電池ユニット２０）は側縁部間が一つの根太（併せ根太７（ａ１））の上方に位置させて床板４上に載置されているので、建物設備ユニット（蓄電池ユニット２０）の荷重を一つの根太（併せ根太７（ａ１））で支持できる。また、建物設備ユニット（蓄電池ユニット２０）を取り付けて床部１に固定する取付金具１２−１，１２−２が前記一対の側方空間２４，２５にそれぞれ配設されているので、一つの根太（併せ根太７（ａ１））の上方に位置させて床板４上に載置した建物設備ユニット（蓄電池ユニット２０）を床部１に安定支持させることができる。
（補足説明８）
また、この発明の実施の形態の建物設備ユニット取付構造において、前記建物設備ユニット（蓄電池ユニット２０）は前記根太（併せ根太７）の延びる方向に延び、前記取付金具１２−１，１２−２は前記建物設備ユニット（蓄電池ユニット２０）の延びる方向の両端部に対応してそれぞれ設けられている。
【００４２】
この構成によれば、取付金具１２−１，１２−２は建物設備ユニット（蓄電池ユニット２０）の延びる方向の両端部に対応してそれぞれ設けられているので、前記建物設備ユニット（蓄電池ユニット２０）が載置される位置の一つの根太（併せ根太７（ａ１））を補強できる。
（補足説明９）
また、この発明の実施の形態の建物設備ユニット取付構造において、根太支持束（支持束８）は前記一つの根太（併せ根太７（併せ根太７（ａ１））と前記隣接根太（併せ根太７（ａ２））の下方にそれぞれ設けられている。
【００４３】
この構成によれば、建物設備ユニット（蓄電池ユニット２０）から床板４に作用する荷重を根太支持束（支持束８）で確実に支持できるので、一つの根太（併せ根太７（ａ１））および床板４が変形するのをより効果的に防止できる。（補足説明１０）
また、この発明の実施の形態の建物設備ユニット取付構造において、前記束支持部材（支持束８）は前記建物設備ユニット（蓄電池ユニット２０）の両端部間の中央に対応する位置に設けられている。
【００４４】
この構成によれば、前記建物設備ユニット（蓄電池ユニット２０）が載置される位置の一つの根太（併せ根太７（ａ１））をより強固に補強できる。
（補足説明１２）
また、この発明の実施の形態の建物設備ユニット取付構造において、前記取付金具（１２−１，１２−２）は上壁１３と前記上壁１３の両端に下方に向けて連設された一対の端壁１４，１４を備え、前記一対の端壁１４，１４が前記一つの根太（併せ根太７）および前記一つの根太（併せ根太７）に間隔を置いて隣接する部材（併せ根太７、第２外枠部材３ａ−２）に固定手段（木ネジ１８）でそれぞれ固定されている。
【００４５】
この構成によれば、取付金具１２の受け根太１０，１０（１１，１１）への取付を容易に行うことができる。
（補足説明１１）
また、この発明の実施の形態の建物設備ユニット取付構造において、前記上壁１３と端壁１４に垂直な補強板１５が前記取付金具（１２，１２−１，１２−２）の両端部に位置して前記上壁１３と端壁１４に一体に設けられている。
【００４６】
この構成によれば、簡単な構成で取付金具１２の強度を向上させることができる。
（補足説明１３）
また、この発明の実施の形態の建物設備ユニット取付構造において、前記補強板１５は三角形状に形成されている。
【００４７】
この構成によれば、少ない材料で取付金具１２の強度を向上させることができる。
（補足説明１４）
また、この発明の実施の形態の建物設備ユニット取付構造において、前記補強板１５は前記上壁１３及び前記端壁１４の両側部に一体に設けられている。
【００４８】
この構成によれば、取付金具１２の強度をより向上させることができる。
（補足説明１５）
また、この発明の実施の形態の建物設備ユニット取付構造において、前記ボルト取付部１６は前記上壁１３に設けられた金具側ボルト挿通孔１３ａおよび前記金具側ボルト挿通孔１３ａに中心を一致させて前記上壁の下面に固着した固定ナット１７を備え、前記床板４には前記金具側ボルト挿通孔１３ａに臨む床側ボルト挿通孔が形成されていると共に、前記建物設備ユニット（蓄電池ユニット２０）は前記建物設備ユニット（蓄電池ユニット２０）の下端部の被取付部（取付板２２ａ）を貫通し且つ前記両ボルト挿通孔１３ａを貫通する固定ボルト２３のボルト部を前記固定ナット１７に螺着することにより、前記建物設備ユニット（蓄電池ユニット２０）の底部が前記床板４上に固定されている。
【００４９】
この構成によれば、建物設備ユニット（蓄電池ユニット２０）を固定するボルト等が床板４上に突出するようなことはないので、建物設備ユニット（蓄電池ユニット２０）を取り付ける部分を予め設けておいても、邪魔になる部材がないので、安全である。
【符号の説明】
【００５０】
１  床部
４  床板
７  併せ根太（ｉ）
７  併せ根太（ｉｉ）
７  併せ根太（ｉｉｉ）
７  併せ根太（ｉＶ）
７  併せ根太（ａ１）
７  併せ根太（ａ２）
１２取付金具
１６  ボルト取付部
２０  蓄電池ユニット（建物設備ユニット）
２２ａ  取付板（被取付部）
２３  固定ボルト
【図１】
2014055497.tif 000003
【図２】
2014055497.tif 000004
【図３】
2014055497.tif 000005
【図４】
2014055497.tif 000006
【図５】
2014055497.tif 000007
【図６】
2014055497.tif 000008
【図７】
2014055497.tif 000009
【図８】
2014055497.tif 000010
【図９】
2014055497.tif 000011
【図１０】
2014055497.tif 000012
【図１１】
2014055497.tif 000013